(57)【特許請求の範囲】
【請求項１】
放送波により放送用ＴＳ信号として放送される１つの放送コンテンツと通信ネットワークで配信するための１または複数の通信用コンテンツ素材とを送信側で同期させるためにそれぞれ監視する監視者が同期用の所望の時間を選択する操作を行うために用いる操作手段の操作量に基づいて、前記１または複数の通信用コンテンツ素材から１または複数の通信コンテンツを生成する通信コンテンツ生成装置であって、
前記監視者が利用する表示装置に入力する前記放送用ＴＳ信号に多重化されているＰＥＳパケットに予め付加されているＰＴＳの値を抽出するタイムスタンプ抽出手段と、
前記操作手段から、当該監視者が利用する表示装置において前記放送コンテンツを前記所望の時間だけ遅延させて表示するための遅延時間として前記操作量の入力を受け付ける入力手段と、
前記表示装置に入力する前記放送用ＴＳ信号を前記遅延時間だけ遅延させて前記表示装置に出力する遅延手段と、
前記表示装置に入力する放送用ＴＳ信号より抽出されたＰＴＳの値から、前記遅延時間のＰＴＳ換算値を減算した値を有する第２のＰＴＳを生成する演算手段と、
前記通信用コンテンツ素材毎に設けられ、当該通信用コンテンツ素材を符号化して前記第２のＰＴＳを付加することで、通信用のＰＥＳパケットを前記通信コンテンツとして生成するタイムスタンプ付加手段と、
を備え、
前記通信用コンテンツ素材のうち少なくとも１つは映像または音声を含み、
前記タイムスタンプ抽出手段は、
前記放送用ＴＳ信号に含まれる映像・音声とＰＣＲとを分離する分離手段と、
前記分離された映像・音声を表示可能に復号すると共に前記ＰＴＳの値を抽出する復号手段と、
前記分離されたＰＣＲに格納されているシステムクロックを分周して前記システムクロックよりも低い所定のクロックに変換する周波数変換手段と、を備え、
前記タイムスタンプ付加手段は、
前記通信用コンテンツ素材のアナログ信号を、前記周波数変換手段で変換されたクロックにしたがってデジタル信号に変換するＡＤ変換手段と、
前記ＡＤ変換された通信用コンテンツ素材に前記第２のＰＴＳを付加して符号化する符号化手段と、を備えることを特徴とする通信コンテンツ生成装置。
【請求項２】
前記タイムスタンプ付加手段は、
前記通信用コンテンツ素材に対して生成された前記通信用のＰＥＳパケットを多重化した通信用ＴＳ信号を生成する多重化手段と、
放送波を介して放送用ＴＳ信号として放送される放送コンテンツを受信する受信端末から、前記通信ネットワークを介して、当該放送コンテンツのために用意された通信コンテンツの要求を受け付け、当該受信端末に対して、前記要求された通信コンテンツとして前記通信用ＴＳ信号を配信する配信手段と、
を備えることを特徴とする請求項１に記載の通信コンテンツ生成装置。
【請求項３】
コンピュータを、請求項１又は請求項２に記載の通信コンテンツ生成装置として機能させるための通信コンテンツ生成プログラム。
【発明の詳細な説明】
【技術分野】
【０００１】
本発明は、放送と通信を連携したサービスを実現するためのシステムに係り、特に、放送コンテンツに同期した通信コンテンツを生成する通信コンテンツ生成装置および通信コンテンツ生成プログラムに関する。
【背景技術】
【０００２】
デジタル放送では、従来のアナログ放送のサービスに加えて、例えばデータ放送や電子番組表（ＥＰＧ：Electronic Program Guide）等により多機能なサービスが提供されている。また、近年では、放送と通信を連携した様々のサービス（以下、放送通信連携サービスという）として、例えば、番組カスタマイズサービス、ソーシャルテレビサービス、番組お薦めサービス、携帯端末連携サービス等が提案されてきている。
【０００３】
番組カスタマイズサービスは、放送番組に関連する字幕や音声、動画などを通信経由で提供することで、視聴者個人のニーズにあった視聴を可能にするサービスである。
ソーシャルテレビサービスは、例えば、つぶやきのような視聴者投稿を画面にオーバーレイして表示可能なサービスである。
番組お薦めサービスは、インターネットで提供される番組ライブラリーの中から視聴者にお薦めのＶＯＤ（Video On Demand）番組を提示するサービスである。
携帯端末連携サービスは、番組お薦めサービス等のために、携帯端末と据え置き型のテレビを連携させることで視聴者個人がＡＳＰ（Application Service Provider）等にログインする手続きを簡素化するサービスである。
【０００４】
従来、これらのサービスを実現するための基盤となる様々な技術が研究・開発されている。例えば、番組カスタマイズサービスを実現させるための基盤技術の１つに、電波で送られてくる放送番組（放送コンテンツ）と、ネットワーク経由で送られてくるコンテンツ（通信コンテンツ）とを受信機（コンテンツ受信端末）で同期して合成して提示する技術が挙げられる。
【０００５】
通常、放送コンテンツには、いわゆる時刻情報としてＰＴＳ（Presentation Time Stamp）が付加されている。そのため、通信コンテンツにもＰＴＳを付加して、受信機において、放送コンテンツのＰＴＳと、通信コンテンツのＰＴＳとをそれぞれ検出し、比較し、どちらかのコンテンツを遅延させることで同期させて提示する送受信システムが検討されている。
この送受信システムでは、送信側において、放送コンテンツにＰＴＳが付加されているように、通信コンテンツにもＰＴＳを付加しようとするとき、放送と同期したＰＴＳをつけなければならない。つまり、送信側では、通信コンテンツに対して、同期させようとする放送コンテンツのＰＴＳと同じ値を埋め込まなければならない。
【０００６】
従来、デジタル放送の映像・音声信号に字幕信号を別個に同期させて放送できるようにする技術が知られている（特許文献１参照）。しかしながら、特許文献１に記載の技術は、アナログ放送からデジタル放送への移行に際して、例えば字幕サービス等の提供方法が変わって同期ＰＥＳ（Packetized Elementary Stream）とすることができなかったことを解決するための技術である。そのため、この技術は、放送通信連携サービスに適用することができない。また、放送通信連携サービスにおいて、放送局側で、通信コンテンツに、同期のためのＰＴＳを付加する技術は、これまで知られていない。
【先行技術文献】
【特許文献】
【０００７】
【特許文献１】特開２００３−２５９３１２
【発明の概要】
【発明が解決しようとする課題】
【０００８】
放送番組は、２種類に大別される。１つは、ドラマのように、編集して出来上がった素材であって、それを放送の時には再生するという番組（いわゆる完プロ番組）であり、もう１つは生放送番組（いわゆるライブ）である。このうち、完プロ番組においては、放送コンテンツは放送前に既に完成しているので、放送前に監視者が放送コンテンツを視聴しながら通信コンテンツの同期をとって、放送コンテンツと同じタイミングでＰＴＳを通信コンテンツに付加することができる。この場合、放送コンテンツと通信コンテンツとを同時に送ることができる。
【０００９】
しかしながら、生放送番組の場合、通信コンテンツの制作は、実際に放送される時刻以降となり、通信コンテンツに付加すべきＰＴＳの値が不明である。そのため、放送コンテンツを視聴してから通信コンテンツを制作する制作者にとって、ＰＴＳを付けることが非常に難しく、通信コンテンツに対して、放送コンテンツに同期したＰＴＳを付加することができなかった。具体的には、生放送番組では、カメラで撮ったそのままを放送するため、制作者が、例えばカメラ映像に同期した通信用のコンテンツの素材として字幕を作っている間に、放送が流れてしまう。つまり、カメラで撮った瞬間の映像のタイミングは、字幕を作っている間に進んでしまう。
【００１０】
前記番組カスタマイズサービスでは、例えば、放送コンテンツとして、実況者と解説者による野球中継の生放送番組を仮定し、かつ、通信コンテンツとして、一方のチームを応援する別の解説者による字幕を仮定した場合を考える。このような想定の場合、視聴を希望する視聴者だけが通信コンテンツを要求することでサービスを享受できるが、字幕が常に遅れるので、視聴者は野球中継の映像の場面よりも字幕が遅れていると感じることになる。したがって、番組カスタマイズサービスの品質を向上させることが要望されている。
【００１１】
本発明は、以上のような問題点に鑑みてなされたものであり、生放送番組であっても送信側で放送コンテンツと通信コンテンツとを同期させることができる通信コンテンツ生成装置および通信コンテンツ生成プログラムを提供することを課題とする。
【課題を解決するための手段】
【００１２】
前記課題を解決するために、本発明のうち請求項１に記載の通信コンテンツ生成装置は、放送波により放送用ＴＳ信号として放送される１つの放送コンテンツと通信ネットワークで配信するための１または複数の通信用コンテンツ素材とを送信側で同期させるためにそれぞれ監視する監視者が同期用の所望の時間を選択する操作を行うために用いる操作手段の操作量に基づいて、前記１または複数の通信用コンテンツ素材から１または複数の通信コンテンツを生成する通信コンテンツ生成装置であって、タイムスタンプ抽出手段と、入力手段と、遅延手段と、演算手段と、タイムスタンプ付加手段と、を備えることとした。
【００１３】
かかる構成によれば、通信コンテンツ生成装置は、タイムスタンプ抽出手段によって、前記監視者が利用する表示装置に入力する前記放送用ＴＳ信号に多重化されているＰＥＳパケットに予め付加されているＰＴＳの値を抽出する。そして、通信コンテンツ生成装置は、入力手段によって、前記操作手段から、当該監視者が利用する表示装置において前記放送コンテンツを前記所望の時間だけ遅延させて表示するための遅延時間として前記操作量の入力を受け付ける。そして、通信コンテンツ生成装置は、遅延手段によって、前記表示装置に入力する前記放送用ＴＳ信号を前記遅延時間だけ遅延させて前記表示装置に出力する。そして、通信コンテンツ生成装置は、演算手段によって、前記表示装置に入力する放送用ＴＳ信号より抽出されたＰＴＳの値から、前記遅延時間のＰＴＳ換算値を減算した値を有する第２のＰＴＳを生成する。そして、通信コンテンツ生成装置は、前記通信用コンテンツ素材毎に設けられたタイムスタンプ付加手段によって、当該通信用コンテンツ素材を符号化して前記第２のＰＴＳを付加することで、通信用のＰＥＳパケットを前記通信コンテンツとしてそれぞれ生成する。
したがって、放送コンテンツと通信コンテンツとを受信する受信端末において、受信した通信コンテンツに付加されたＰＴＳは、そのとき受信中の放送コンテンツのＰＴＳ値よりも遡った値を用いて生成されているので、受信端末は、受信中の通信コンテンツを、それ以前に受信した放送コンテンツをバッファリングして遅延させることで同期をとることができる。
【００１４】
また、請求項１に記載の通信コンテンツ生成装置において、前記通信用コンテンツ素材のうち少なくとも１つは映像または音声を含み、前記タイムスタンプ抽出手段が、分離手段と、復号手段と、周波数変換手段と、を備え、前記タイムスタンプ付加手段が、ＡＤ変換手段と、符号化手段と、を備えることとした。
【００１５】
かかる構成によれば、通信コンテンツ生成装置は、前記タイムスタンプ抽出手段において、分離手段によって、前記放送用ＴＳ信号に含まれる映像・音声とＰＣＲとを分離する。ここで、分離とは、放送用ＴＳ信号に多重化されている映像・音声とＰＣＲとを逆多重化することを示す。そして、前記タイムスタンプ抽出手段において、復号手段によって、前記分離された映像・音声を表示可能に復号すると共に前記ＰＴＳの値を抽出する。そして、前記タイムスタンプ抽出手段において、周波数変換手段によって、前記分離されたＰＣＲに格納されているシステムクロックを分周して前記システムクロックよりも低い所定のクロックに変換する。また、かかる構成によれば、通信コンテンツ生成装置は、前記タイムスタンプ付加手段において、ＡＤ変換手段によって、前記通信用コンテンツ素材のアナログ信号を、前記周波数変換手段で変換されたクロックにしたがってデジタル信号に変換する。そして、前記タイムスタンプ付加手段において、符号化手段によって、前記ＡＤ変換された通信用コンテンツ素材に前記第２のＰＴＳを付加して符号化する。
したがって、放送コンテンツと通信コンテンツとを受信する受信端末において、受信した放送コンテンツのクロックと、受信した通信コンテンツのクロックと、を１つのクロックで動かすことができるので、受信中の通信コンテンツを、それ以前に受信した放送コンテンツとの同期を精密にとることができる。
【００１６】
また、請求項２に記載の通信コンテンツ生成装置は、請求項１に記載の通信コンテンツ生成装置において、前記タイムスタンプ付加手段が、多重化手段と、配信手段と、を備えることとした。
【００１７】
かかる構成によれば、通信コンテンツ生成装置は、前記タイムスタンプ付加手段において、多重化手段によって、前記通信用コンテンツ素材に対して生成された前記通信用のＰＥＳパケットを多重化した通信用ＴＳ信号を生成する。そして、前記タイムスタンプ付加手段において、配信手段によって、放送波を介して放送用ＴＳ信号として放送される放送コンテンツを受信する受信端末から、前記通信ネットワークを介して、当該放送コンテンツのために用意された通信コンテンツの要求を受け付け、当該受信端末に対して、前記要求された通信コンテンツとして前記通信用ＴＳ信号を配信する。
【００１８】
また、請求項３に記載の通信コンテンツ生成プログラムは、コンピュータを、前記通信コンテンツ生成装置として機能させるためのプログラムである。
【発明の効果】
【００２０】
請求項１または請求項３に記載の発明によれば、監視者が遅延させた放送コンテンツを視聴して、放送コンテンツと通信コンテンツとの同期を確認することができるので、生放送番組であっても送信側で放送コンテンツと通信コンテンツとを同期させることができる。
【００２１】
請求項１または請求項３に記載の発明によれば、生成した通信コンテンツを受信する側において、受信した放送コンテンツのクロックと、受信した通信コンテンツのクロックと、を１つのクロックで動かすことができるので、通信コンテンツと放送コンテンツとの同期を精密にとることができる。
請求項２に記載の発明によれば、生成した通信コンテンツを配信することができる。
【図面の簡単な説明】
【００２２】
【図１】本発明の実施形態に係る通信コンテンツ生成装置を示すブロック図である。
【図２】本発明の実施形態に係る通信コンテンツ生成装置を含む送受信システムの概要を示す構成図である。
【発明を実施するための形態】
【００２３】
以下、本発明を実施するための形態について、図面を参照して詳細に説明する。
［通信コンテンツ生成装置の概要］
図１に示す通信コンテンツ生成装置１は、放送されるコンテンツ（放送コンテンツ）に関連して通信ネットワークＮで配信するためのコンテンツ（通信コンテンツ）を、監視者の操作に基づいて生成するものである。ここで、コンテンツの符号化方式としては、ＭＰＥＧ−２、ＭＰＥＧ−４、Ｈ．２６４等が存在するが、以下では、一例として、ＭＰＥＧ−２を用いることとする。なお、図１に示す監視者周辺機材１０は、通信コンテンツ生成装置１の外部にあるものとして説明する（図２参照）。
【００２４】
この通信コンテンツ生成装置１の機能の概要について図２を参照（適宜図１参照）して説明する。図２は、通信コンテンツ生成装置１を含む送受信システムの概要を示す構成図である。放送局の主調整室１００では、放送コンテンツであるデジタル放送番組（映像・音声）に用いる映像素材が映像エンコーダ１１０で符号化され、かつ、音声素材が音声エンコーダ１２０で符号化され、その後、映像および音声は多重化装置１３０によって多重化される。多重化されたＴＳ信号は、放送局の変調手段１４０によって変調され、出力手段１５０によって、アンテナ１６０を介して放送波として送出される。これにより、視聴者は、所有するコンテンツ受信端末２００を利用してデジタル放送番組を視聴することができる。
【００２５】
コンテンツ受信端末２００は、デジタル放送が受信可能でインターネット接続可能な端末であって、例えば、テレビジョン、パーソナルコンピュータ、セットトップボックス、携帯端末、スマートフォン等から構成される。
コンテンツ受信端末２００は、放送コンテンツを受信して提示する。また、コンテンツ受信端末２００は、視聴者の操作に応じて当該放送コンテンツのために用意された通信コンテンツを、通信ネットワークＮを介して要求し、要求に応じて送信された通信コンテンツを受信して提示する。
【００２６】
通信コンテンツ生成装置１に入力する放送コンテンツは、主調整室１００の多重化装置１３０から出力され、変調されていないＴＳ信号であり、以下では、これを放送用ＴＳ信号とも呼ぶ。
通信コンテンツ生成装置１は、監視者の操作に基づいて、放送コンテンツに関連した１または複数の通信コンテンツの素材（通信用コンテンツ素材）から１または複数の通信コンテンツを生成する。以下では、これを通信用ＴＳ信号ともいう。図１に示す例では、通信用コンテンツ素材として、字幕と音声とを用いて、字幕の通信コンテンツ（通信用ＴＳ信号）と、音声の通信コンテンツ（通信用ＴＳ信号）とをそれぞれ生成することとした。
生成された通信コンテンツは、インターネット等の通信ネットワークＮを介して、視聴者が所有するコンテンツ受信端末２００からの要求にしたがって配信される。
【００２７】
通信用コンテンツ素材としては、その種類は特に限定されないが、音声や字幕のほか、例えば、映像、字幕以外のテキスト情報、つぶやき等のコミュニケーションサービスで投稿される短文の情報、番組に対する意見・感想・要望等として視聴者（コンテンツを要求する視聴者以外の他人）が書き込んだ情報なども用いることができる。
【００２８】
監視者は、監視者周辺機材１０を利用して、放送コンテンツと、通信用コンテンツ素材とを監視すると共に、放送コンテンツを見ながら通信コンテンツに対して放送コンテンツに同期したＰＴＳを付加する操作を行う。ここで、放送コンテンツ（放送用ＴＳ信号）には予めＰＴＳが付加されており、通信コンテンツ生成装置１は、放送コンテンツに付加されているものとは異なるＰＴＳ値を有したＰＴＳを生成する。以下では、通信コンテンツ生成装置１が生成して通信コンテンツ（通信用ＴＳ信号）に付加するＰＴＳのことを第２のＰＴＳと呼称して区別する。
【００２９】
［監視者周辺機材の構成例］
監視者周辺機材１０は、図１に示す例では、表示装置１１と、操作手段１２と、表示装置１３と、スピーカ１４とを備える。
表示装置１１は、オンエアされている放送コンテンツ（Ａｉｒ、放送用ＴＳ信号）を表示し、表示装置１３は、通信用コンテンツ素材である字幕を表示するものとする。各表示装置１１，１３は、例えば液晶ディスプレイ等から構成される。スピーカ１４は、通信用コンテンツ素材である音声を出力する。
【００３０】
操作手段１２は、監視者が放送コンテンツと通信コンテンツとの同期用の所望の時間を選択する操作を行うために用いるユーザインタフェースである。これにより、監視者は第２のＰＴＳを付加する操作を行うことができる。
この操作手段１２としては、例えば、回転軸に取り付けた操作ツマミを回転させたときにロータリーエンコーダ等のセンサで回転量、回転角度、回転位置等を操作量として計測・検出して、検出した操作量を示す信号を通信コンテンツ生成装置１に出力するものを用いることができる。
【００３１】
以下では、操作手段１２は、一例として、操作ツマミを回転させたときの操作量を示す信号を出力するものとして説明する。この操作手段１２の操作量は、表示装置１１において放送コンテンツを所望の時間だけ遅延させて表示するための遅延時間に相当するものである。例えば、操作手段１２の操作ツマミが基準位置を示すときに操作量が０であって遅延が０（遅延なし）となり、操作ツマミが最大位置を示すときに操作量が最大であって遅延が最大となるように正規化しておくことができる。
【００３２】
遅延時間は、例えば放送コンテンツの番組内容や通信用コンテンツ素材の種類等に応じて適宜設定することができる。通信用コンテンツ素材が例えば音声である場合には、遅延時間はあまり必要ないので、遅延時間の最大値が例えば１秒未満（数〜数十フレーム程度）、字幕の場合には、例えば数〜１０秒程度等で指定されるように予め設定される。
【００３３】
［通信コンテンツ生成装置の構成］
通信コンテンツ生成装置１は、例えば、ＣＰＵ（Central Processing Unit）等の演算装置と、ＲＡＭ（Random Access Memory）やＲＯＭ（Read Only Memory）等のメモリ、ハードディスク等の記憶装置と、外部との各種情報の送受信を行うインタフェース装置とを備えたコンピュータと、このコンピュータにインストールされたプログラムとから構成される。この通信コンテンツ生成装置１は、ハードウェア装置とソフトウェアとが協働することによって、前記したハードウェア資源がプログラムによって制御されることにより実現され、図１に示すように、タイムスタンプ抽出手段２と、入力手段３と、遅延手段４と、演算手段５と、タイムスタンプ付加手段６とを備える。なお、オンエアされている放送コンテンツ（Ａｉｒ、放送用ＴＳ信号）は、監視者周辺機材１０の表示装置１１に表示されることを前提とする。
【００３４】
タイムスタンプ抽出手段２は、監視者周辺機材１０の表示装置１１に入力する放送用ＴＳ信号に多重化されているＰＥＳパケットに予め付加されているＰＴＳの値を抽出するものである。本実施形態では、タイムスタンプ抽出手段２は、図１に示すように、分離手段２１と、復号手段２２と、周波数変換手段２３とを備える。
【００３５】
分離手段２１は、放送用ＴＳ信号を入力し、放送用ＴＳ信号に含まれる映像・音声とＰＣＲ（Program Clock Reference）とを分離（逆多重化）するものである。この分離手段２１は、例えば一般的なデマルチプレクサから構成される。分離された映像・音声は、復号手段２２に入力する。また、ＰＣＲは、周波数変換手段２３で利用される。
【００３６】
復号手段２２は、分離手段２１で分離された映像・音声を表示可能に復号すると共にＰＴＳの値を抽出するものである。この復号手段２２は、例えば一般的な映像・音声デコーダから構成される。ここで抽出されたＰＴＳの値は、演算手段５へ出力される。また、復号された映像・音声は、遅延手段４に入力する。なお、ＰＴＳは９０ｋＨｚを単位とした３３ビットの情報を示す。
【００３７】
周波数変換手段２３は、分離手段２１で分離されたＰＣＲに格納されているシステムクロック（ＳＴＣ：System Time Clock）を分周してシステムクロックよりも低い所定のクロック（例えばｆ／ｓ）に変換するものである。周波数変換手段２３は、例えば一般的な分周器から構成される。システムクロックから変換された所定のクロックは、タイムスタンプ付加手段６ｂの後記するＡＤ変換手段６０に入力する。ここで、ｆは例えばＡＤ変換手段６０のクロック、ｓはシステムクロックを示す。
【００３８】
入力手段３は、監視者周辺機材１０の操作手段１２から、監視者周辺機材１０の表示装置１１において放送コンテンツを所望の時間だけ遅延させて表示するための遅延時間として操作量の入力を受け付けるものである。この入力手段３は、所定のインタフェース、図示しない算出部およびメモリ等から構成される。ここで受け付けた遅延時間は、遅延手段４と演算手段５とにそれぞれ入力する。
【００３９】
入力手段３は、監視者周辺機材１０の操作手段１２から、操作ツマミを回転させたときの操作量を示す信号を遅延時間として受け付け、当該遅延時間、または、そのフレーム換算値やＰＴＳ換算値を遅延手段４に出力する。換算する場合、放送をはじめとする動画像システムで用いられているインターレース方式では、時間方向のサンプリング周波数は５９．９４ｆｐｓ（Field Per Second）であることから換算できる。また、ＰＴＳは、ＳＴＣを基準として、ＰＥＳペイロードの提示時刻を９０ｋＨｚ単位で示すことから換算できる。また、入力手段３は、受け付けた遅延時間のＰＴＳ換算値を演算手段５に出力する。
【００４０】
遅延手段４は、監視者周辺機材１０の表示装置１１に入力する放送用ＴＳ信号を、入力手段３から入力された遅延時間だけ遅延させて表示装置１１に出力するものである。この遅延手段４は、可変遅延回路から構成される。すなわち、遅延手段４は、入力端または出力端の候補を複数有していて、入力端または出力端のどちらかの接続位置を切り替えることで記憶容量が可変となる記憶手段から構成される。例えば、Ｎを任意の整数としてＮフレーム分の記憶容量を有するＦＩＦＯ型フレームメモリを複数組み合わせ、フレームメモリ間に例えば入力端を２つ設けることで可変遅延回路を構成することができる。
【００４１】
遅延手段４は、例えば、監視者周辺機材１０の操作手段１２の操作ツマミが基準位置を示すときに、復号手段２２と表示装置１１とを短絡する配線に切り替わって記憶容量が０（遅延なし）となり、操作ツマミが最大位置を示すときに記憶容量が最大に伸長する配線に切り替わるように予め設定される。
【００４２】
演算手段５は、監視者周辺機材１０の表示装置１１に入力する放送用ＴＳ信号より抽出されたＰＴＳの値から、遅延時間のＰＴＳ換算値を減算した値を有する第２のＰＴＳを生成するものである。この演算手段５は、一般的な加算器や減算器から構成される。ここで生成された第２のＰＴＳは、タイムスタンプ付加手段６の後記する符号化手段６１で利用される。すなわち、第２のＰＴＳのＰＴＳ値は、符号化手段６１に入力する。
【００４３】
タイムスタンプ付加手段６は、通信用コンテンツ素材毎に設けられ、当該通信用コンテンツ素材を符号化して第２のＰＴＳを付加することで、通信用のＰＥＳパケットを通信コンテンツとして生成するものである。
図１に示す通信コンテンツ生成装置１では、一例として、通信用コンテンツ素材として字幕を付加するためのタイムスタンプ付加手段６ａと、音声を付加するためのタイムスタンプ付加手段６ｂとを備えることとした。ここで、字幕は、監視者周辺機材１０の表示装置１３に表示され、音声は監視者周辺機材１０のスピーカ１４に出力される。これにより、監視者は、表示装置１１に表示される遅延した放送コンテンツと、それに付加しようとする通信コンテンツ（字幕や音声）との同期を調整することができる。
【００４４】
タイムスタンプ付加手段６ａは、符号化手段６１と、多重化手段６２と、配信手段６３とを備える。
【００４５】
符号化手段６１は、入力された字幕（通信用コンテンツ素材）を符号化して通信用のＰＥＳパケットを生成するものである。符号化手段６１は、例えば一般的な映像エンコーダから構成される。生成された通信用のＰＥＳパケットは多重化手段６２に入力する。
【００４６】
多重化手段６２は、字幕（通信用コンテンツ素材）に対して生成された通信用のＰＥＳパケットを多重化した通信用ＴＳ信号を生成するものである。この多重化手段６２は、例えば一般的なマルチプレクサから構成される。生成された通信用ＴＳ信号は配信手段６３の図示しないコンテンツ記憶部に入力する。
【００４７】
配信手段６３は、コンテンツ受信端末２００（図２参照）から、通信ネットワークＮを介して、通信コンテンツの要求を受け付け、当該コンテンツ受信端末２００に対して、要求された通信コンテンツとして、生成した通信用ＴＳ信号を配信するものである。このために、配信手段６３は、図示を省略したコンテンツ要求受付部と、コンテンツ記憶部と、通信コンテンツ送信部とを備える。なお、受け付けるコンテンツ要求には、要求された通信コンテンツを特定するためのコンテンツ識別情報や受信端末識別情報等を含んでいる。これにより、通信コンテンツ送信部は、要求された通信コンテンツをコンテンツ記憶部から取得することができる。
【００４８】
タイムスタンプ付加手段６ｂは、符号化手段６１、多重化手段６２、配信手段６３に加えて、ＡＤ変換手段６０も備えている。
ＡＤ変換手段６０は、通信用コンテンツ素材である音声のアナログ信号を、周波数変換手段２３で変換されたクロックにしたがってデジタル信号に変換するものである。この音声のデジタル信号は、一般的な音声エンコーダから構成された符号化手段６１に入力し、符号化手段６１は、ＡＤ変換された音声（通信用コンテンツ素材）に第２のＰＴＳを付加して符号化し、多重化手段６２に出力する。
【００４９】
［通信コンテンツ生成装置の処理の流れ］
ここでは、通信コンテンツ生成装置の処理の流れについて、図１および図２を参照して説明する。以下では、処理の各段階に便宜的にＳ１〜Ｓ６のナンバリングを行って説明するが、各処理の実行順序は、ナンバリング通りである必要はなく、また、少なくともいずれか２つの処理を並列に行ってもよい。
【００５０】
（Ｓ１：放送コンテンツのモニタリング）
通信コンテンツ生成装置１は、主調整室１００の多重化装置１３０から出力された放送コンテンツ（放送用ＴＳ信号）を受信すると、分離手段２１によって、映像・音声とＰＣＲとを分離する。このうち、映像・音声は、復号手段２２によってデコードされ、デコードされたコンテンツは、遅延手段４によって、遅延してから、監視者周辺機材１０の表示装置１１に入力し、表示装置１１によって、表示される。
【００５１】
（Ｓ２：遅延量の選択）
監視者は、監視者周辺機材１０の表示装置１１に表示された放送コンテンツと、表示装置１３に表示された字幕（通信用コンテンツ素材）やスピーカ１４から出力される音声（通信用コンテンツ素材）とを視聴して、放送コンテンツと通信コンテンツとが同期するように遅延量を調整する。監視者は、監視者周辺機材１０の操作手段１２を操作することによって遅延時間を変更することができる。なお、遅延量の具体例については後記する。
【００５２】
このとき、通信コンテンツ生成装置１の入力手段３は、監視者周辺機材１０の操作手段１２から、操作ツマミを回転させたときの操作量を示す信号（遅延時間）を受け付け、遅延手段４および演算手段５に出力する。入力手段３が、例えば遅延時間のフレーム換算値を遅延手段４に出力し、遅延時間のＰＴＳ換算値を演算手段５に出力すると、監視者は、フレーム単位で遅延させた放送コンテンツを見ながら、通信コンテンツに対して、放送コンテンツに同期したＰＴＳ（第２のＰＴＳ）を付加することができる。
【００５３】
（Ｓ３：ＰＴＳの生成）
通信コンテンツ生成装置１は、復号手段２２によって、映像・音声をデコードするときに、放送コンテンツ（放送用ＴＳ信号）に予め付加されているＰＴＳを抽出し、演算手段５に出力する。そして、通信コンテンツ生成装置１は、演算手段５によって、抽出されたＰＴＳの値から、遅延量（遅延時間のＰＴＳ換算値）を減算した値を有する第２のＰＴＳを生成する。
【００５４】
ここで、一例として、監視者が、オンエア中の放送コンテンツ（Ａｉｒ）から、ある遅延量（遅延時間のＰＴＳ換算値）で遅延させた放送コンテンツをモニタしているタイミングで、演算手段５が演算する例について説明する。
このときの遅延量（遅延時間のＰＴＳ換算値）をＰＴＳ１として以下の式（１）に示す。また、遅延させた放送コンテンツに付加されているＰＴＳの値をＰＴＳ２として以下の式（２）に示す。このとき、オンエア中の放送コンテンツ（Ａｉｒ）から既に抽出されているＰＴＳの値をＰＴＳ３として以下の式（３）で示す（ＰＴＳ３＞ＰＴＳ２）。なお、この例では、ＰＴＳ３からＰＴＳ２を減算した値がＰＴＳ１となっている。
上記設定の場合、演算手段５は、ＰＴＳ３からＰＴＳ１を減算し、その演算結果のＰＴＳ値として以下の式（４）で示されるＰＴＳ４を有した第２のＰＴＳを生成することとなる。
ＰＴＳ１＝０００・・０００１０１  …式（１）
ＰＴＳ２＝０００・・００１０１１  …式（２）
ＰＴＳ３＝０００・・０１００００  …式（３）
ＰＴＳ４＝０００・・００１０１１  …式（４）
【００５５】
式（４）に示すＰＴＳ４は、式（２）に示すＰＴＳ２と同じ値なので、監視者は、遅延させた放送コンテンツに付加されているＰＴＳの値と同じ値を有した通信コンテンツを生成することが可能となる。これは、生放送番組等で既に流れてしまったＡｉｒのＰＴＳ値を抽出して、既に流れてしまったタイミングで通信コンテンツを同期させることとなる。
なお、上記説明では、ＰＴＳ値の演算を具体的に示すために、３３ビットの下５桁ほどのビット列に単純化して説明した。
【００５６】
（Ｓ４：ＰＴＳの付加）
通信コンテンツ生成装置１は、配信手段６３によって、コンテンツ受信端末２００（図２参照）から、通信ネットワークＮを介して、通信コンテンツの要求を受け付ける。
通信コンテンツ生成装置１は、タイムスタンプ付加手段６の符号化手段６１によって、例えば字幕や音声等の通信用コンテンツ素材に対して第２のＰＴＳを付加し、エンコードすることでＰＥＳパケットを生成する。
【００５７】
（Ｓ５：通信コンテンツの配信）
通信コンテンツ生成装置１は、通信用コンテンツ素材毎に、多重化手段６２によって、ＰＥＳパケットを多重化して通信コンテンツ（通信用ＴＳ信号）を生成する。
通信コンテンツ生成装置１は、配信手段６３によって、通信ネットワークＮを介して、要求元のコンテンツ受信端末２００（図２参照）に対して、通信コンテンツを配信する。これにより、コンテンツ受信端末２００は、通信コンテンツを表示する。
【００５８】
（Ｓ６：クロックによる同期）
通信コンテンツが例えば音声である場合、以下の処理を行う。
通信コンテンツ生成装置１は、通信用コンテンツ素材が音声である場合、放送コンテンツ（放送用ＴＳ信号）から分離手段２１によって分離（逆多重化）されたＰＣＲを抽出し、ＰＣＲからＳＴＣを生成し、周波数変換手段２３によって、ＳＴＣを分周することで、ＡＤ変換手段６０のためのクロックを生成する。そして、タイムスタンプ付加手段６ｂのＡＤ変換手段６０は、この生成されたクロックにより、アナログ音声（通信用コンテンツ素材）をデジタル信号の音声に変換する。一方、コンテンツ受信端末２００（図２参照）は、受信した放送コンテンツから分離（逆多重化）、生成するＳＴＣからＤＡ変換処理のためのクロックを生成して使用する。したがって、通信コンテンツを送信する側のＡＤ変換処理のクロックと、通信コンテンツを受信する側のＤＡ変換処理のクロックとが揃い、同期が確立できる。これによれば、通信コンテンツが音声や映像等の場合、クロックを揃えることで同期を精密に行うことができる。
【００５９】
［遅延量の具体例］
ここでは、遅延量の具体例について説明する。例えば、実況者と解説者による野球中継の生放送番組（放送コンテンツ）を仮定し、かつ、この放送コンテンツに対して用意する通信用コンテンツ素材として、一方のチームを応援する特別解説者の音声を付加する場合を想定する。この想定において、特別解説者がスタジオで野球中継の映像を見ながら解説する、といった場合、原理的に、野球中継の映像に対して、特別解説者の音声が遅れることになる。つまり、このサービスを受けている視聴者にとってみれば、視聴中に、特別解説者の音声の方が、野球中継の映像の場面よりも遅れていると感じる。
【００６０】
監視者は、このように遅れて聞こえるような感じを与えないように遅延量（操作量）を選択する。このことができる理由は、監視者が監視している環境、すなわち、監視者周辺機材１０のある環境は、視聴者がコンテンツ受信端末２００を利用して視聴している環境を再現したことになるからである。
【００６１】
なお、視聴者が見たり聞いたりしていて不自然にならないように調整するので、音声（通信用コンテンツ素材）については、ほぼ遅延なしとなる。字幕（通信用コンテンツ素材）に関しては、放送コンテンツを視聴しながら制作しなければならないので、長いときには数秒程度遅延させることとなる。
【００６２】
以上により、本実施形態の通信コンテンツ生成装置１によれば、放送局側で、遅延させた放送コンテンツを視聴して、放送コンテンツと通信コンテンツとの同期を監視者により確認した後に、通信コンテンツにＰＴＳ（第２のＰＴＳ）を付加することができる。そのため、生放送番組において、従来は不可能であった通信コンテンツに放送コンテンツに同期したＰＴＳを付加することが可能となる。これにより、生放送番組であっても、コンテンツ受信端末において、放送コンテンツと通信コンテンツとの同期をとることができる。したがって、コンテンツ受信端末において、通信コンテンツとして、例えば、多言語の字幕、多言語の音声、放送映像に同期した他の映像等を、放送コンテンツと同時に提示することができる。
【００６３】
以上、実施形態に基づいて本発明を説明したが、本発明はこれに限定されるものではなく、その趣旨を逸脱しない範囲で適宜変形することができる。例えば、通信コンテンツ生成装置１の入力手段３は、監視者周辺機材１０の操作手段１２から受け付けた遅延時間からＰＴＳ換算値等を求めるものとして説明したが、操作手段１２が、遅延時間からＰＴＳ換算値等を求める機能を備えるようにしてもよい。
【００６４】
また、本実施形態では、監視者周辺機材１０の操作手段１２が、操作ツマミを回転させるタイプのものとして説明したが、例えば、スライド機構に取り付けたレバーを直線上で移動させたときに変位センサで距離や変位等を操作量として計測・検出するスライダ装置でもよい。その他、ジョイスティックやマウス等のポインティングデバイスを用いることもできる。
【００６５】
また、図１に示す例では、表示装置１１と、操作手段１２と、表示装置１３と、スピーカ１４とを個別の装置であるものとして説明したが、１つの表示装置を兼用するなど、いずれか複数またはすべての装置を１ユニット化した装置であっても構わない。
【００６６】
また、監視者が放送局にて監視を行う場合、主調整室１００に、通信コンテンツ生成装置１を配置して、主調整室１００の備品等を監視者周辺機材１０として用いることができる。
【００６７】
また、監視者は放送局以外の場所にて監視を行ってもよいことは勿論である。また、監視者は、放送局に属する人物に限定されるものではなく、例えば、ＡＳＰ（Application Service Provider）や、通信コンテンツを企画、生成、流通させる事業者等であってもよい。この場合、例えば、放送局の主調整室１００の多重化装置１３０から、放送コンテンツ（放送用ＴＳ信号）を、ＡＳＰのもとに設置された通信コンテンツ生成装置１へ入力する通信線を設ければ、同様の効果を奏することができる。
【符号の説明】
【００６８】
１      通信コンテンツ生成装置
２      タイムスタンプ抽出手段
３      入力手段
４      遅延手段
５      演算手段
６（６ａ、６ｂ）  タイムスタンプ付加手段
１０    監視者周辺機材
１１    表示装置
１２    操作手段
１３    表示装置
１４    スピーカ
２１    分離手段
２２    復号手段
２３    周波数変換手段
６０    ＡＤ変換手段
６１    符号化手段
６２    多重化手段
６３    配信手段
１００  主調整室
１１０  映像エンコーダ
１２０  音声エンコーダ
１３０  多重化装置
１４０  変調手段
１５０  出力手段
１６０  アンテナ
２００  コンテンツ受信端末
Ｎ      通信ネットワーク
【図１】
0005771098.tif 000002
【図２】
0005771098.tif 000003